(57)【特許請求の範囲】
【請求項１】
目地部を介して設けられた段差部が傾斜面の左右の床躯体の一方の目地部側床躯体に目地部に開口するように形成された目地プレート支持凹部および他方の目地部側床躯体に目地部に開口するように形成された目地プレート支持ガイド凹部と、前記平坦部の目地プレート支持凹部および目地プレート支持ガイド凹部に支持される前記傾斜面の端部側だけが前記目地プレート支持ガイド凹部側の幅寸法が小さくなる傾斜面に形成された平坦部目地プレートと、この平坦部目地プレートの後端部を先端部が上下方向に回動可能に支持する平坦部目地プレート支持具と、前記平坦部目地プレートの先端部と前記目地プレート支持ガイド凹部の反目地部側とに形成された目地部が狭くなると該平坦部目地プレートの先端部が上方へスライド移動する平坦部目地プレート押し上げ機構と、前記傾斜面の目地プレート支持凹部および目地プレート支持ガイド凹部に支持される前記傾斜面の端部側が前記目地プレート支持ガイド凹部側の幅寸法が小さくなる傾斜面に形成された傾斜面部目地プレートと、この傾斜面部目地プレートの後端部を先端部が上下方向に回動可能に支持する傾斜面部目地プレート支持具と、前記傾斜面部目地プレートの先端部と前記目地プレート支持ガイド凹部の反目地部側とに形成された目地部が狭くなると該傾斜面部目地プレートの先端部が上方へスライド移動する傾斜面部目地プレート押し上げ機構と、前記平坦部目地プレートの傾斜面側の端部および前記傾斜面部目地プレートの端部をそれぞれ覆う４個の端部目地プレートと、この４個の端部目地プレートの後端部を先端部が上下左右方向に回動可能に支持する端部目地プレート支持具と、前記４個の端部目地プレートの先端部と前記目地プレート支持ガイド凹部の反目地部側とに形成された目地部が狭くなると該端部目地プレートの先端部が上方へそれぞれスライド移動させる端部目地プレート押し上げ機構とからなることを特徴とする床用目地装置。
【請求項２】
目地部を介して設けられた段差部が傾斜面の左右の床躯体の一方の目地部側床躯体に目地部に開口するように形成された目地プレート支持凹部および他方の目地部側床躯体に目地部に開口するように形成された目地プレート支持ガイド凹部と、前記平坦部の目地プレート支持凹部および目地プレート支持ガイド凹部に支持される前記傾斜面の端部側だけが前記目地プレート支持ガイド凹部側の幅寸法が小さくなる傾斜面に形成された平坦部目地プレートと、この平坦部目地プレートの後端部を先端部が上下方向に回動可能に支持する平坦部目地プレート支持具と、前記平坦部目地プレートの先端部と前記目地プレート支持ガイド凹部の反目地部側とに形成された目地部が狭くなると該平坦部目地プレートの先端部が上方へスライド移動する平坦部目地プレート押し上げ機構と、前記傾斜面の目地プレート支持凹部および目地プレート支持ガイド凹部に支持される前記傾斜面の端部側が前記目地プレート支持ガイド凹部側の幅寸法が小さくなる傾斜面に形成された傾斜面部目地プレートと、この傾斜面部目地プレートの後端部を先端部が上下方向に回動可能に支持する傾斜面部目地プレート支持具と、前記傾斜面部目地プレートの先端部と前記目地プレート支持ガイド凹部の反目地部側とに形成された目地部が狭くなると該傾斜面部目地プレートの先端部が上方へスライド移動する傾斜面部目地プレート押し上げ機構と、前記平坦部目地プレートの傾斜面側の端部および前記傾斜面部目地プレートの端部をそれぞれ２個以上で覆う複数個の端部目地プレートと、この複数個の端部目地プレートの後端部を先端部が上下左右方向に回動可能に支持する端部目地プレート支持具と、前記複数個の端部目地プレートの先端部と前記目地プレート支持ガイド凹部の反目地部側とに形成された目地部が狭くなると該端部目地プレートの先端部が上方へそれぞれスライド移動させる端部目地プレート押し上げ機構とからなることを特徴とする床用目地装置。
【請求項３】
目地部を介して設けられた段差部が傾斜面の左右の床躯体の一方の目地部側床躯体に目地部に開口するように形成された目地プレート支持凹部および他方の目地部側床躯体に目地部に開口するように形成された目地プレート支持ガイド凹部と、前記平坦部の目地プレート支持凹部および目地プレート支持ガイド凹部に支持される前記傾斜面の端部側だけが前記目地プレート支持ガイド凹部側の幅寸法が小さくなる傾斜面に形成された平坦部目地プレートと、この平坦部目地プレートの後端部を先端部が上下方向に回動可能に支持する平坦部目地プレート支持具と、前記平坦部目地プレートの先端部と前記目地プレート支持ガイド凹部の反目地部側とに形成された目地部が狭くなると該平坦部目地プレートの先端部が上方へスライド移動する平坦部目地プレート押し上げ機構と、前記傾斜面の目地プレート支持凹部および目地プレート支持ガイド凹部に支持される前記傾斜面の端部側が前記目地プレート支持ガイド凹部側の幅寸法が小さくなる傾斜面に形成された傾斜面部目地プレートと、この傾斜面部目地プレートの後端部を先端部が上下方向に回動可能に支持する傾斜面部目地プレート支持具と、前記傾斜面部目地プレートの先端部と前記目地プレート支持ガイド凹部の反目地部側とに形成された目地部が狭くなると該傾斜面部目地プレートの先端部が上方へスライド移動する傾斜面部目地プレート押し上げ機構と、前記平坦部目地プレートの傾斜面側の端部および前記傾斜面部目地プレートの端部をそれぞれ覆う４個の端部目地プレートと、この４個の端部目地プレートの後端部を先端部が上下左右方向に回動可能に支持する端部目地プレート支持具と、前記４個の端部目地プレートの先端部と前記目地プレート支持ガイド凹部の反目地部側とに形成された目地部が狭くなると該端部目地プレートの先端部が上方へそれぞれスライド移動させる端部目地プレート押し上げ機構と、前記隣り合う端部目地プレートにそれぞれ取付けられた隣り合う端部目地プレートの先端部側が常時当接するように付勢する付勢機構とからなることを特徴とする床用目地装置。
【発明の詳細な説明】
【０００１】
【発明の属する技術分野】
本発明は目地部を介して設けられた段差部が傾斜面の左右の床躯体間を覆う床用目地装置に関する。
【０００２】
【従来の技術】
従来、目地部を介して設けられた段差部が傾斜面の左右の躯体間を覆う床用目地装置は、平坦部位と傾斜面部位とを分離した複数個の四角形状の目地プレートを用いて覆っている。
【０００３】
【発明が解決しようとする課題】
従来のこの種の床用目地装置は、左右の床躯体が地震等によって目地部が狭くなったり広くなっても、その揺れ動きを吸収することができるが、異なる前後方向に揺れ動いた場合、傾斜面の端部の目地プレートが上部外方に突出するとともに、開口部が生じて危険になるという欠点があった。
【０００４】
本発明は以上のような従来の欠点に鑑み、左右の床躯体が異なる前後左右方向に地震等によって揺れ動いても、目地プレートが外方へ突出して開口部が生じたりするのを確実に防止して、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた段差部が傾斜面の左右の床躯体の一方の目地部側床躯体に目地部に開口するように形成された目地プレート支持凹部および他方の目地部側床躯体に目地部に開口するように形成された目地プレート支持ガイド凹部と、前記平坦部の目地プレート支持凹部および目地プレート支持ガイド凹部に支持される前記傾斜面の端部側だけが前記目地プレート支持ガイド凹部側の幅寸法が小さくなる傾斜面に形成された平坦部目地プレートと、この平坦部目地プレートの後端部を先端部が上下方向に回動可能に支持する平坦部目地プレート支持具と、前記平坦部目地プレートの先端部と前記目地プレート支持ガイド凹部の反目地部側とに形成された目地部が狭くなると該平坦部目地プレートの先端部が上方へスライド移動する平坦部目地プレート押し上げ機構と、前記傾斜面の目地プレート支持凹部および目地プレート支持ガイド凹部に支持される前記傾斜面の端部側が前記目地プレート支持ガイド凹部側の幅寸法が小さくなる傾斜面に形成された傾斜面部目地プレートと、この傾斜面部目地プレートの後端部を先端部が上下方向に回動可能に支持する傾斜面部目地プレート支持具と、前記傾斜面部目地プレートの先端部と前記目地プレート支持ガイド凹部の反目地部側とに形成された目地部が狭くなると該傾斜面部目地プレートの先端部が上方へスライド移動する傾斜面部目地プレート押し上げ機構と、前記平坦部目地プレートの傾斜面側の端部および前記傾斜面部目地プレートの端部をそれぞれ覆う４個の端部目地プレートと、この４個の端部目地プレートの後端部を先端部が上下左右方向に回動可能に支持する端部目地プレート支持具と、前記４個の端部目地プレートの先端部と前記目地プレート支持ガイド凹部の反目地部側とに形成された目地部が狭くなると該端部目地プレートの先端部が上方へそれぞれスライド移動させる端部目地プレート押し上げ機構とで床用目地装置を構成している。
【０００７】
【発明の実施の形態】
以下、図面に示す実施の形態により、本発明を詳細に説明する。
【０００８】
図１ないし図１４に示す本発明の第１の実施の形態において、１は目地部２を介して設けられた段差部が傾斜面３の左右の床躯体４、４間を覆う本発明の床用目地装置で、この床用目地装置１は前記左右の床躯体４、４の一方の目地部側床躯体４に目地部２に開口するように形成された目地プレート支持凹部５および他方の目地部側床躯体４に目地部２に開口するように形成された目地プレート支持ガイド凹部６と、前記平坦部の目地プレート支持凹部５ａおよび前記目地プレート支持ガイド凹部６ａに支持される、前記傾斜面３の端部側だけが前記目地プレート支持ガイド凹部６ａ側の幅寸法が小さくなる傾斜面７に形成された平坦部目地プレート８、８と、この平坦部目地プレート８、８の後端部を先端部が上下方向に回動可能に支持する平坦部目地プレート支持具９と、前記平坦部目地プレート８の先端部と前記目地プレート支持ガイド凹部６の反目地部側とに形成された目地部２が狭くなると該平坦部目地プレート８、８の先端部が上方へスライド移動する平坦部目地プレート押し上げ機構１０と、前記傾斜面３の目地プレート支持凹部５および目地プレート支持ガイド凹部６に支持される前記傾斜面３の端部側が前記目地プレート支持ガイド凹部６側の幅寸法が小さくなる傾斜面１１、１１に形成された傾斜面部目地プレート１２と、この傾斜面部目地プレート１２の後端部を先端部が上下方向に回動可能に支持する傾斜面部目地プレート支持具１３と、前記傾斜面部目地プレート１２の先端部と前記目地プレート支持ガイド凹部６の反目地部側とに形成された目地部２が狭くなると、該傾斜面部目地プレート１２の先端部が上方へスライド移動する傾斜面部目地プレート押し上げ機構１４と、前記平坦部目地プレート８、８の傾斜面側へ端部および前記傾斜面部目地プレート１２の端部をそれぞれ覆う４個の端部目地プレート１５、１５、１５、１５と、この４個の端部目地プレート１５、１５、１５、１５の後端部を先端部が上下左右方向に回動可能に支持する端部目地プレート支持具１６、１６、１６、１６と、前記４個の端部目地プレート１５、１５、１５、１５の先端部と前記目地プレート支持ガイド凹部６の反目地部側とに形成された目地部２が狭くなると、該端部目地プレート１５、１５、１５、１５の先端部が上方へスライド移動させる端部目地プレート押し上げ機構１７、１７、１７、１７とで構成されている。
【０００９】
前記平坦部目地プレート８は図３に示すように、金属材で一端部に傾斜面７が形成された台形皿状の平坦部目地プレート本体１８と、この平坦部目地プレート本体１８内にモルタル１９を充填して固定されたタイル等の床化粧材２０と、前記平坦部目地プレート本体１８の後端両側部寄りの部位の底面に形成された、前記平坦部目地プレート支持具９の一部を構成する支持凹部２１、２１とで構成されている。
【００１０】
前記平坦部目地プレート支持具９は図４に示すように、前記支持凹部２１、２１と、この支持凹部２１、２１内に挿入されるように前記目地プレート支持凹部５部位に固定されたＴ字状の支持ピン２２、２２とで構成されている。
【００１１】
前記平坦部目地プレート押し上げ機構１０は図５に示すように、前記目地プレート支持ガイド凹部６の反目地部側に形成された傾斜面２３と、前記平坦部目地プレート８の先端部に固定された硬質ゴム等の弾性体２４の先端部に形成された前記傾斜面２３と面接触する傾斜面２５とで構成されている。
【００１２】
前記傾斜面部目地プレート１２は図６に示すように、金属材で両端部が傾斜面１１、１１に形成された台形皿状の傾斜面部目地プレート本体２６と、この傾斜面部目地プレート本体２６内にモルタル１９を充填して固定されたタイル等の床化粧材２０と、前記傾斜面部目地プレート本体２６の後端両側部寄りの部位の底面に形成された前記傾斜面部目地プレート支持具１３の一部を構成する支持凹部２７、２７とで構成されている。
【００１３】
前記傾斜面部目地プレート支持具１３は図７に示すように前記支持凹部２７、２７と、この支持凹部２７、２７内に挿入されるように前記目地プレート支持凹部５ａ部位に固定されたＴ字状の支持ピン２８、２８とで構成されている。
【００１４】
前記傾斜面部目地プレート押し上げ機構１４は図８に示すように、前記目地プレート支持ガイド凹部６ａの反目地部側に形成された傾斜面２３と、前記傾斜面部目地プレート１２の先端部に固定された硬質ゴム等の弾性体２４の先端部に形成された前記傾斜面２３と面接触する傾斜面２５とで構成されている。
【００１５】
前記端部目地プレート１５、１５、１５、１５は図９に示すように、金属材でほぼ三角形状の皿状に形成された端部目地プレート本体２９と、この端部目地プレート本体２９内にモルタル１９を充填して固定されたタイル等の床化粧材２０と、前記端部目地プレート本体２９の後端部寄りの部位の底面に形成された、前記端部目地プレート支持具１６の一部を構成する支持凹部３０とで構成されている。
【００１６】
前記端部目地プレート支持具１６は図１０に示すように前記支持凹部３０と、この支持凹部３０内に挿入されるように前記目地プレート支持凹部５部位に固定されたＴ字状の支持ピン３１とで構成されている。
【００１７】
前記端部目地プレート押し上げ機構１７は図１１に示すように、前記目地プレート支持ガイド凹部６の反目地部側に形成された傾斜面２３と、前記端部目地プレート１５の先端部に固定された硬質ゴム等の弾性体２４の先端部に形成された前記傾斜面２３と面接触する傾斜面２５とで構成されている。
【００１８】
上記構成の床用目地装置１は地震等によって目地部２が広くなった場合には、図１２に示すように平坦部目地プレート８、傾斜面部目地プレート１２および端部目地プレート１５、１５、１５、１５の先端部がそれぞれ目地プレート支持ガイド凹部６内をスライド移動して、その揺れ動きを吸収する。
また、目地部２が狭くなった場合には図１３に示すように、平坦部目地プレート８、傾斜面部目地プレート１２および端部目地プレート１５、１５、１５、１５の先端部がそれぞれ目地プレート支持ガイド凹部６の傾斜面２３上をスライド移動して、その揺れ動きを吸収する。
【００１９】
さらに左右の床躯体４、４が異なる前後方向に揺れ動いた場合には図１４に示すように、平坦部目地プレート８および傾斜面部目地プレート１２の先端部がそれぞれ目地プレート支持ガイド凹部６を前後方向にスライド移動する。
また、端部目地プレート１５、１５、１５、１５の先端部がそれぞれ目地プレート支持ガイド凹部６を前後方向にスライド移動するとともに、平坦部の目地プレート支持ガイド凹部６ａあるいは傾斜面の目地プレート支持ガイド凹部６ｂと接触するように回動して、目地部２を覆う状態を保つ。
【００２０】
【発明の異なる実施の形態】
次に、図１５ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００２１】
図１５ないし図１７に示す本発明の第２の実施の形態において、前記本発明の第１の実施の形態と主に異なる点は、８個の端部目地プレート１５Ａ、１５Ａ、１５Ａ、１５Ａ、１５Ａ、１５Ａ、１５Ａ、１５Ａを用いた点で、このように構成した床用目地装置１Ａにすることにより、前記本発明の第１の実施の形態と同様な作用効果が得られるとともに、左右の床躯体４、４の異なる前後方向の揺れ動き時に、８個の端部目地プレート１５Ａ、１５Ａ、１５Ａ、１５Ａ、１５Ａ、１５Ａ、１５Ａ、１５Ａの先端部が小さな前後方向の揺れ動きに追従して回動して、突出や目地部２に隙間が生じるのを阻止することができる。
【００２２】
図１８ないし図２０に示す本発明の第３の実施の形態において、前記本発明の第１の実施の形態と主に異なる点は、隣り合う端部目地プレート１５、１５および１５、１５にそれぞれ取付けられた隣り合う端部目地プレート１５、１５および１５、１５の先端部側が常時当接するように付勢するワイヤー３２、このワイヤー３２の両端部に一端部が固定され、他端部が当接する部位の端部目地プレート１５、１５の端部に当接する付勢スプリング３３、３３とからなる付勢機構３４、３４を用いた点で、このような付勢機構３４、３４を用いた床用目地装置１Ｂにしても、前記本発明の第１の実施の形態と同様な作用効果が得られるとともに、隣り合う端部目地プレート１５、１５のスライド移動時に広がりや重なりを確実に防止することができる。
【００２３】
図２１ないし図２３に示す本発明の第４の実施の形態において、前記本発明の第１の実施の形態と主に異なる点は、先端部を傾斜面２５に形成した平坦部目地プレート８Ａと、先端部を傾斜面２３に形成した傾斜面部目地プレート１２Ａと、先端部を傾斜面２５に形成した端部目地プレート１５Ｂ、１５Ｂ、１５Ｂ、１５Ｂを用いた点で、このように構成した床用目地装置１Ｃにしても、前記本発明の第１の実施の形態と同様な作用効果が得られる。
【００２４】
なお、前記本発明の各実施の形態では傾斜面３の端部側だけが目地プレート支持ガイド凹部６ａ側の幅寸法が小さくなる傾斜面７に形成された平坦部目地プレート８、８と、傾斜面３の端部側が目地プレート支持ガイド凹部６側の幅寸法が小さくなる傾斜面１１、１１に形成された傾斜面部目地プレート１２とを用いるものに付いて説明したが、本発明はこれに限らず、四角形状の平坦部目地プレートおよび傾斜面７側に傾斜面７に形成された平坦部目地プレート８を用いたり、中央部に四角形状の傾斜面部目地プレートおよび傾斜面７側に傾斜面１１、１１に形成された傾斜面部目地プレート１２、１２を用いた床用目地装置にしてもよい。
【００２５】
【発明の効果】
以上の説明から明らかなように、本発明にあっては次に列挙する効果が得られる。
【００２６】
（１）目地部を介して設けられた段差部が傾斜面の左右の床躯体の一方の目地部側床躯体に目地部に開口するように形成された目地プレート支持凹部および他方の目地部側床躯体に目地部に開口するように形成された目地プレート支持ガイド凹部と、前記平坦部の目地プレート支持凹部および目地プレート支持ガイド凹部に支持される前記傾斜面の端部側だけが前記目地プレート支持ガイド凹部側の幅寸法が小さくなる傾斜面に形成された平坦部目地プレートと、この平坦部目地プレートの後端部を先端部が上下方向に回動可能に支持する平坦部目地プレート支持具と、前記平坦部目地プレートの先端部と前記目地プレート支持ガイド凹部の反目地部側とに形成された目地部が狭くなると該平坦部目地プレートの先端部が上方へスライド移動する平坦部目地プレート押し上げ機構と、前記傾斜面の目地プレート支持凹部および目地プレート支持ガイド凹部に支持される前記傾斜面の端部側が前記目地プレート支持ガイド凹部側の幅寸法が小さくなる傾斜面に形成された傾斜面部目地プレートと、この傾斜面部目地プレートの後端部を先端部が上下方向に回動可能に支持する傾斜面部目地プレート支持具と、前記傾斜面部目地プレートの先端部と前記目地プレート支持ガイド凹部の反目地部側とに形成された目地部が狭くなると該傾斜面部目地プレートの先端部が上方へスライド移動する傾斜面部目地プレート押し上げ機構と、前記平坦部目地プレートの傾斜面側の端部および前記傾斜面部目地プレートの端部をそれぞれ覆う４個の端部目地プレートと、この４個の端部目地プレートの後端部を先端部が上下左右方向に回動可能に支持する端部目地プレート支持具と、前記４個の端部目地プレートの先端部と前記目地プレート支持ガイド凹部の反目地部側とに形成された目地部が狭くなると該端部目地プレートの先端部が上方へそれぞれスライド移動させる端部目地プレート押し上げ機構とで構成されているので、左右の床躯体が異なる前後方向に揺れ動いた場合、端部目地プレートの先端部が前後方向にスライド移動するとともに、回動して、段差部の傾斜面の端部に隙間が生じたり、大きく外方へ突出するのを防止できる。
したがって、安全に使用することができる。
【００２７】
（２）前記（１）によって、目地部が広くなったり、狭くなるように揺れ動いた場合には平坦部目地プレート、傾斜面部目地プレートおよび端部目地プレートの先端部が目地プレート支持ガイド凹部をスライド移動および上方へ押し上げられて、その揺れ動きを吸収することができる。
【００２８】
（３）前記（１）によって、構造が簡単で容易に設置することができる。
【００２９】
（４）請求項２、３も前記（１）〜（３）と同様な効果が得られる。
【図面の簡単な説明】
【図１】本発明の第１の実施の形態の斜視図。
【図２】図１の２−２線に沿う断面図。
【図３】本発明の第１の実施の形態の平坦部目地プレートの説明図。
【図４】本発明の第１の実施の形態の平坦部目地プレート支持具の説明図。
【図５】平坦部目地プレート押し上げ機構の説明図。
【図６】本発明の第１の実施の形態の傾斜面部目地プレートの説明図。
【図７】本発明の第１の実施の形態の傾斜面部目地プレート支持具の説明図。
【図８】傾斜面部目地プレート押し上げ機構の説明図。
【図９】本発明の第１の実施の形態の端部目地プレートの説明図。
【図１０】本発明の第１の実施の形態の端部目地プレート支持具の説明図。
【図１１】端部目地プレート押し上げ機構の説明図。
【図１２】本発明の第１の実施の形態の目地部が広くなった場合の動作説明図。
【図１３】本発明の第１の実施の形態の目地部が狭くなった場合の動作説明図。
【図１４】本発明の第１の実施の形態の異なる前後方向の動作説明図。
【図１５】本発明の第２の実施の形態の斜視図。
【図１６】図１５の１６−１６線に沿う断面図。
【図１７】本発明の第２の実施の形態の端部目地プレートの説明図。
【図１８】本発明の第３の実施の形態の斜視図。
【図１９】図１８の１９−１９線に沿う断面図。
【図２０】本発明の第３の実施の形態の付勢機構の説明図。
【図２１】本発明の第４の実施の形態の斜視図。
【図２２】図２１の２２−２２線に沿う断面図。
【図２３】平坦部、傾斜面部、端部目地プレートの説明図。
【符号の説明】
１、１Ａ、１Ｂ、１Ｃ：床用目地装置、
２：目地部、            ３：傾斜面、
４：床躯体、            ５：目地プレート支持凹部、
６：目地プレート支持ガイド凹部、
７：傾斜面、            ８、８Ａ：平坦部目地プレート、
９：平坦部目地プレート支持具、
１０：平坦部目地プレート押し上げ機構、
１１：傾斜面、
１２、１２Ａ：傾斜面部目地プレート、
１３：傾斜面部目地プレート支持具、
１４：傾斜面部目地プレート押し上げ機構、
１５、１５Ａ、１５Ｂ：端部目地プレート、
１６：端部目地プレート支持具、
１７：端部目地プレート押し上げ機構、
１８：平坦部目地プレート本体、
１９：モルタル、        ２０：床化粧材、
２１：支持凹部、        ２２：支持ピン、
２３：傾斜面、          ２４：弾性体、
２５：傾斜面、
２６：傾斜面部目地プレート本体、
２７：支持凹部、        ２８：支持ピン、
２９：端部目地プレート本体、
３０：支持凹部、        ３１：支持ピン、
３２：ワイヤー、        ３３：付勢スプリング、
３４：付勢機構。
【図１】
0003629203.tif 000002
【図２】
0003629203.tif 000003
【図３】
0003629203.tif 000004
【図４】
0003629203.tif 000005
【図５】
0003629203.tif 000006
【図６】
0003629203.tif 000007
【図７】
0003629203.tif 000008
【図８】
0003629203.tif 000009
【図９】
0003629203.tif 000010
【図１０】
0003629203.tif 000011
【図１１】
0003629203.tif 000012
【図１２】
0003629203.tif 000013
【図１３】
0003629203.tif 000014
【図１４】
0003629203.tif 000015
【図１５】
0003629203.tif 000016
【図１６】
0003629203.tif 000017
【図１７】
0003629203.tif 000018
【図１８】
0003629203.tif 000019
【図１９】
0003629203.tif 000020
【図２０】
0003629203.tif 000021
【図２１】
0003629203.tif 000022
【図２２】
0003629203.tif 000023
【図２３】
0003629203.tif 000024